(57)【特許請求の範囲】
【請求項１】
家具の下部の全周に台輪を形成して家具本体の一部を玄関の床に載置するとともに一部を土間側に突出させた玄関収納家具であって、土間側に出ている突出家具部分の台輪部の家具前面部分が開放されて突出家具部分の下方に前方が開放された収納部が形成され、突出家具部分の台輪部と玄関の床に載置されている家具部分の台輪体とが別体に形成され、突出家具部分の台輪部が三方枠に、床に載置されている家具部分の台輪体が四方枠に形成されていることを特徴とする玄関収納家具。
【請求項２】
家具の下部の全周に台輪を形成して家具本体の一部を玄関の床に載置するとともに一部を土間側に突出させた玄関収納家具であって、土間側に出ている突出家具部分の台輪部の家具前面部分が開放されて突出家具部分の下方に前方が開放された収納部が形成され、玄関の床に載置されている家具部分の台輪体が四方枠に形成され、四方枠となっている台輪体の後方枠が土間側に延出されるとともに後方枠の先端から前方に側枠が延出されて、床に載置されている家具部分の台輪体と突出家具部分の台輪部とが一体化されていることを特徴とする玄関収納家具。
【請求項３】
突出家具部分の台輪部の側枠が支持脚にて土間に支持されて成ることを特徴とする請求項１又は２に記載の玄関収納家具。
【請求項４】
突出家具部分の台輪部の側枠に家具側板が取付けられ、家具側板の下端が土間に載置されて成ることを特徴とする請求項１又は２に記載の玄関収納家具。
【発明の詳細な説明】
【０００１】
【発明の属する技術分野】
本発明は、一部を土間側に突出した玄関収納家具に関し、詳しくは、土間側に突出した家具部分の下方における収納性を高めようとする技術に係るものである。
【０００２】
【従来の技術】
従来、図６に示すように、家具の下部の全周に台輪１を形成して家具本体の一部を玄関の床２に載置するとともに一部を土間３側に突出させた玄関収納家具においては、土間３側に突出している端部を支持脚８ａにて支持するものである。
【０００３】
【発明が解決しようとする課題】
ところで、このような構成においては、土間３側に突出している部分の下部に収納ボックス２０を置いて収納部として利用するのに際して、収納空間が小さくなるものとなっていた。
【０００４】
本発明はこのような問題に鑑みてなされたものであり、土間側に突出した家具部分の下方における台輪部の内部を収納スペースに利用して収納性を高めることができる玄関収納家具を提供することを課題とするものである。
【０００５】
【課題を解決するための手段】
請求項１においては、家具の下部の全周に台輪１を形成して家具本体の一部を玄関の床２に載置するとともに一部を土間３側に突出させた玄関収納家具であって、土間３側に出ている突出家具部分４ａの台輪部１ａの家具前面部分が開放されて突出家具部分４ａの下方に前方が開放された収納部５が形成されていることを特徴とするものである。このような構成によれば、台輪１によって家具本体を玄関の床２に安定的に載置することができながら、突出家具部分４ａの台輪部１ａの家具前面部分が開放されて、床２より突出している突出家具部分４ａの下方に前方が開放された収納部５を構成して、床２より突出する玄関収納家具の収納機能を高める。
【０００６】
更に、請求項１においては、突出家具部分４ａの台輪部１ａと玄関の床２に載置されている家具部分４ｂの台輪体１ｂとが別体に形成され、突出家具部分４ａの台輪部１ａが三方枠に、床２に載置されている家具部分４ｂの台輪体１ｂが四方枠に形成されていることを特徴とするものである。このような構成によれば、四方枠となった台輪体１ｂによって床２に載置されている家具部分を、一層、安定的に支持することができ、かつ、四方枠となった台輪体１ｂとは別体として三方枠とした台輪部１ａを突出家具部分４ａの下面に取付けることで、玄関収納家具の施工を容易におこなう。
【０００７】
請求項２においては、家具の下部の全周に台輪１を形成して家具本体の一部を玄関の床２に載置するとともに一部を土間３側に突出させた玄関収納家具であって、土間３側に出ている突出家具部分４ａの台輪部１ａの家具前面部分が開放されて突出家具部分４ａの下方に前方が開放された収納部５が形成され、玄関の床２に載置されている家具部分４ｂの台輪体１ｂが四方枠に形成され、四方枠となっている台輪体１ｂの後方枠６が土間３側に延出されるとともに後方枠６の先端から前方に側枠７が延出されて、床２に載置されている家具部分４ｂの台輪体１ｂと突出家具部分４ａの台輪部１ａとが一体化されていることを特徴とするものである。このような構成によれば、台輪１によって家具本体を玄関の床２に安定的に載置することができながら、突出家具部分４ａの台輪部１ａの家具前面部分が開放されて、床２より突出している突出家具部分４ａの下方に前方が開放された収納部５を構成して、床２より突出する玄関収納家具の収納効率を高め、更に、収納部５を構成するための台輪１の製作を容易におこなう。
【０００８】
請求項３においては、突出家具部分４ａの台輪部１ａの側枠７が支持脚８にて土間３に支持されていることを特徴とするものである。このような構成によれば、突出家具部分４ａの支持強度を高める。
【０００９】
請求項４においては、突出家具部分４ａの台輪部１ａの側枠７に家具側板９が取付けられ、家具側板９の下端が土間３に載置されていることを特徴とするものである。このような構成によれば、台輪部１ａの側枠７に取付けた家具側板９を土間３に載置することで、突出家具部分４ａの支持強度を高める。
【００１０】
【発明の実施の形態】
以下、本発明の実施の形態を説明する。図１は概略正面図、図２（ａ）は同上の部分分解斜視図、同図（ｂ）は台輪の平面図である。
【００１１】
玄関収納家具Ａは、家具の下部の全周に台輪１を形成して家具本体の一部を玄関の床２に載置するとともに一部を土間３側に突出させるものである。
【００１２】
玄関収納家具Ａにおいて、土間３側に出ている突出家具部分４ａの台輪部１ａの家具前面部分が開放されて突出家具部分４ａの下方に前方が開放された収納部５が形成されている。以下、詳述する。
【００１３】
図１及び図２は第１の実施の形態を示し、本実施の形態においては、突出家具部分４ａの台輪部１ａと床２に載置されている家具部分４ｂの台輪体１ｂとが別体に形成されている。突出家具部分４ａの台輪部１ａが後部枠１０、対向する側枠７，１１にて三方枠に、床２に載置されている家具部分４ｂの台輪体１ｂが後方枠１２，前方枠１３，側部枠１４，１４にて四方枠に形成されている。台輪部１ａにはダボ孔１５が、突出家具部分４ａにはダボ１６が形成されてダボ接続される。家具部分４ｂと突出家具部分４ａとは一体化されているが、別体に形成してもよいものである。符号２０は上部開口を形成した収納ボックスで、引出し自在に載置されている。
【００１４】
このような構成によれば、台輪体１ｂを家具部分４ｂの下部に付設して床２に安定的に載置することができながら、突出家具部分４ａの台輪部１ａの家具前面部分が開放されて、床２より突出している突出家具部分４の下方に前方が開放された収納部５を構成して、床２より突出する玄関収納家具の収納機能を高めることができるのである。
【００１５】
更に、本実施の形態においては、突出家具部分４ａの台輪部１ａと床２に載置されている家具部分４ｂの台輪体１ｂとが別体に形成され、突出家具部分４ａの台輪部１ａが三方枠に、床２に載置されている家具部分４ｂの台輪体１ｂが四方枠に形成されていて、四方枠となった台輪体１ｂによって床２に載置されている家具部分を安定的に支持することができ、かつ、四方枠となった台輪体１ｂとは別体として三方枠とした台輪部１ａを突出家具部分の下面に取付けることで、玄関収納家具の施工を容易におこなえるものである。
【００１６】
図３は更に他の実施の形態を示し、突出家具部分４ａの側板１７，１７及び背板１８を台輪部１ａの外面でかつ下端にまで垂下して、台輪部１ａの側枠７を支持脚８にて土間３に支持したものであり、突出家具部分４ａの支持強度を高めている。この場合、台輪部１ａに突出家具部分４ａの地板１９を載設して固定している。
【００１７】
図４は更に他の実施の形態を示し、但し、本実施の形態の基本構成は上記実施の形態と共通であり、共通する部分には同一の符号を付して説明は省略する。
【００１８】
本実施の形態においては、床２に載置されている家具部分４ｂの台輪体１ｂが四方枠に形成され、四方枠となっている台輪体１ｂの後方枠６が土間３側に延出されるとともに後方枠６の先端から前方に側枠７が延出されて、床２に載置されている家具部分４ｂの台輪体１ｂと突出家具部分４ａの台輪部１ａとが一体化されている。
【００１９】
本実施の形態においては、収納部５を構成するための台輪１の製作を容易におこなうことができる。
【００２０】
図５は更に他の実施の形態を示し、但し、本実施の形態の基本構成は上記実施の形態と共通であり、共通する部分には同一の符号を付して説明は省略する。
【００２１】
本実施の形態においては、突出家具部分４ａの台輪部１ａの側枠７に家具側板９が取付けられ、家具側板９の下端が土間３に載置されている。このような構成によれば、台輪部１ａの側枠７に取付けた家具側板９を土間３に載置することで、突出家具部分４ａの支持強度を高めることができ、かつ、玄関収納家具Ａの外観を高めることができる。
【００２２】
【発明の効果】
請求項１においては、家具の下部の全周に台輪を形成して家具本体の一部を玄関の床に載置するとともに一部を土間側に突出させた玄関収納家具であって、土間側に出ている突出家具部分の台輪部の家具前面部分が開放されて突出家具部分の下方に前方が開放された収納部が形成されているから、台輪によって家具本体を床に安定的に載置することができながら、突出家具部分の台輪部の家具前面部分が開放されて、床より突出している突出家具部分の下方に前方が開放された収納部を構成して、床より突出する玄関収納家具の収納機能を高めることができるという利点がある。
【００２３】
更に、請求項１においては、突出家具部分の台輪部と床に載置されている家具部分の台輪体とが別体に形成され、突出家具部分の台輪部が三方枠に、床に載置されている家具部分の台輪体が四方枠に形成されているから、四方枠となった台輪体によって床に載置されている家具部分を、一層、安定的に支持することができ、かつ、四方枠となった台輪体とは別体として三方枠とした台輪部を突出家具部分の下面に取付けることで、玄関収納家具の施工を容易におこなえるという利点がある。
【００２４】
請求項２においては、家具の下部の全周に台輪を形成して家具本体の一部を玄関の床に載置するとともに一部を土間側に突出させた玄関収納家具であって、土間側に出ている突出家具部分の台輪部の家具前面部分が開放されて突出家具部分の下方に前方が開放された収納部が形成され、玄関の床に載置されている家具部分の台輪体が四方枠に形成され、四方枠となっている台輪体の後方枠が土間側に延出されるとともに後方枠の先端から前方に側枠が延出されて、床に載置されている家具部分の台輪体と突出家具部分の台輪部とが一体化されているから、台輪によって家具本体を玄関の床に安定的に載置することができながら、突出家具部分の台輪部の家具前面部分が開放されて、床より突出している突出家具部分の下方に前方が開放された収納部を構成して、床より突出する玄関収納家具の収納効率を高め、更に、収納部を構成するための台輪の製作を容易におこなうことができるという利点がある。
【００２５】
請求項３においては、突出家具部分の台輪部の側枠が支持脚にて土間に支持されているから、請求項１または２の効果に加えて、突出家具部分の支持強度を高めることができるという利点がある。
【００２６】
請求項４においては、突出家具部分の台輪部の側枠に家具側板が取付けられ、家具側板の下端が土間に載置されているから、請求項１または２の効果に加えて、台輪部の側枠に取付けた家具側板を土間に載置することで、突出家具部分の支持強度を高めることができるという利点がある。
【図面の簡単な説明】
【図１】本発明の実施の一形態を示す概略正面図である。
【図２】（ａ）は同上の部分分解斜視図、（ｂ）は台輪の平面図である。
【図３】同上の他の実施の形態の部分概略斜視図である。
【図４】同上の更に他の実施の形態を示し、（ａ）は台輪の斜視図、（ｂ）は全体を示す概略正面図である。
【図５】同上の更に他の実施の形態の概略斜視図である。
【図６】従来例の概略正面図である。
【符号の説明】
１    台輪
１ａ  台輪部
１ｂ  台輪体
２    床
３    土間
４ａ  突出家具部分
４ｂ  床に載置される家具部分
５    収納部
６    後方枠
７    側枠
８    支持脚
９    家具側板
【図１】
0003541759.tif 000002
【図２】
0003541759.tif 000003
【図３】
0003541759.tif 000004
【図４】
0003541759.tif 000005
【図５】
0003541759.tif 000006
【図６】
0003541759.tif 000007